(57)【要約】【課題】皺やたるみ等を目立たなくし、貼付時に目立たず、肌の動きに追随し、自然な感じの化粧が可能な美容用貼付材及びその貼付方法を提供する。【解決手段】基材層１１と粘着剤層１２を有し、基材層１１は、ガラス転移温度が０℃以下のポリウレタンエラストマーを主成分とする層からなり且つ１〜１０μｍの厚みを有し、粘着剤層１２は、炭素数８〜１２のアルキル基を有するアクリル酸アルキルエステル及びメタクリル酸アルキルエステルからなる群より選ばれる少なくとも一種の単量体単位を７０重量％以上の割合で含有する共重合体からなるアクリル粘着剤を主成分とする層からなり且つ１〜１５μｍの厚みを有し、基材層１１と粘着剤層１２の厚さの合計が２〜２０μｍであり、平面視の形状が、略Ｌ字形、略Ｖ字状、略多角形、略弓形、略三日月形、略爪形、略滴形、略長円形、略円形、略楕円形、ｍ／ｎ円形、ｍ／ｎ楕円形の群から選択される（但し、ｍ、ｎは整数）。【選択図】図３
2011172831.tif 000002
【特許請求の範囲】
【請求項１】
基材層と、当該基材層の片面側に配設された粘着剤層を有する美容用貼付材であって、
前記基材層は、ガラス転移温度が０℃以下のポリウレタンエラストマーを主成分とする層からなると共に、１〜１０μｍの厚みを有し、
前記粘着剤層は、炭素数８〜１２のアルキル基を有するアクリル酸アルキルエステル及びメタクリル酸アルキルエステルからなる群より選ばれる少なくとも一種の単量体単位を７０重量％以上の割合で含有する共重合体からなるアクリル粘着剤を主成分とする層からなると共に、１〜１５μｍの厚みを有し、
前記基材層及び粘着剤層の厚さの合計が２〜２０μｍであり、
平面視の形状が、略Ｌ字形、略Ｖ字状、略多角形、略弓形、略三日月形、略爪形、略滴形、略長円形、略円形、略楕円形、ｍ／ｎ円形、ｍ／ｎ楕円形の群から選択される美容用貼付材。
但し、ｍ、ｎは整数
【請求項２】
前記粘着剤層の前記基材層が配設されている面とは反対側の面に、セパレータ層が配設されてなる請求項１記載の美容用貼付材。
【請求項３】
前記基材層の前記粘着剤層が配設されている面とは反対側の面に、キャリア層が配設されてなる請求項１または請求項２記載の美容用貼付材。
【請求項４】
前記ポリウレタンエラストマーは、ポリエーテル型ポリウレタンエラストマーである請求項１ないし請求項３のいずれか一項に記載の美容用貼付材。
【請求項５】
前記アクリル酸アルキルエステルは、２−エチルヘキシルアクリレート、イソオクチルアクリレート、ｎ−オクチルアクリレート、及びイソノニルアクリレートからなる群より選ばれる少なくとも一種のアクリル酸アルキルエステルである請求項１ないし請求項４のいずれか一項に記載の美容用貼付材。
【請求項６】
前記基材層は、前記粘着剤層が設けられていない側の面にエンボス加工が施されてなり、当該エンボス加工が施された面は、角度６０度で測定した光沢度が、０．５〜７．５の範囲内に調整されてなる請求項１ないし請求項５のいずれか一項に記載の美容用貼付材。
【請求項７】
前記基材層及び粘着剤層の少なくとも一方が、着色剤によって黄色系またはオレンジ色系の色調に着色されてなる請求項１ないし請求項６のいずれか一項に記載の美容用貼付材。
【請求項８】
前記平面視の形状が略Ｌ字形であり、当該略Ｌ字形の角部を挟んだ一端が、被適用者の耳朶の下に貼付される第１の部位を構成し、当該略Ｌ字形の角部を挟んだ他端が、当該被適用者の耳朶の下よりも上方に貼付される第２の部位を構成する請求項１ないし請求項７のいずれか一項に記載の美容用貼付材。
【請求項９】
前記平面視の形状が略三角形であり、当該略三角形の底辺が、被適用者の上瞼の縁に貼付される第１の部位を構成し、当該底辺に対向する角部が、当該被適用者の上瞼の二重を構成する溝を形成すべき位置に貼付される第２の部位を構成する請求項１ないし請求項７のいずれか一項に記載の美容用貼付材。
【請求項１０】
前記平面視の形状が略長方形であり、当該略長方形の長手方向の一端が、被適用者の首の後ろ且つ頸椎よりも右側に貼付される第１の部位を構成し、当該略長方形の長手方向の他端が、当該被適用者の首の後ろ且つ頸椎よりも左側に貼付される第２の部位を構成する請求項１ないし請求項７のいずれか一項に記載の美容用貼付材。
【請求項１１】
前記平面視の形状が略弓形であり、当該略弓形の長手方向の一端が、被適用者のフェースラインの目尻横に貼付される第１の部位を構成し、当該略弓形の長手方向の他端が、当該被適用者の目尻横よりも上方に貼付される第２の部位を構成する請求項１ないし請求項７のいずれか一項に記載の美容用貼付材。
【請求項１２】
前記平面視の形状が略弓形であり、当該略弓形の長手方向の一端が、被適用者のフェースラインの耳朶近傍に貼付される第１の部位を構成し、当該略弓形の長手方向の他端が、当該被適用者の耳の上部裏側に貼付される第２の部位を構成する請求項１ないし請求項７のいずれか一項に記載の美容用貼付材。
【請求項１３】
前記平面視の形状が略長方形であり、当該略長方形の長手方向の一端が、被適用者の鼻孔に貼付される第１の部位を構成し、当該略長方形の長手方向の他端が、当該被適用者の鼻孔から延出して鼻の下に貼付される第２の部位を構成する請求項１ないし請求項７のいずれか一項に記載の美容用貼付材。
【請求項１４】
前記平面視の形状が略長方形であり、当該略長方形の長手方向の一端が、被適用者のフェースラインの首の付け根近傍に貼付される第１の部位を構成し、当該略長方形の長手方向の他端が、当該被適用者の首の付け根よりも下方に貼付される第２の部位を構成する請求項１ないし請求項７のいずれか一項に記載の美容用貼付材。
【請求項１５】
前記平面視の形状が略長方形であり、当該略長方形の長手方向の一端が、被適用者の手首の甲側に貼付される第１の部位を構成し、当該略長方形の長手方向の他端が、当該被適用者の手首の掌側に貼付される第２の部位を構成する請求項１ないし請求項７のいずれか一項に記載の美容用貼付材。
【請求項１６】
前記平面視の形状が略長方形であり、当該略長方形の長手方向の一端が、被適用者の脇の乳房近傍に貼付される第１の部位を構成し、当該略長方形の長手方向の他端が、当該被適用者の鎖骨近傍に貼付される第２の部位を構成する請求項１ないし請求項７のいずれか一項に記載の美容用貼付材。
【請求項１７】
前記平面視の形状が略長方形であり、当該略長方形の長手方向の一端が、被適用者の後部大腿の付け根近傍に貼付される第１の部位を構成し、当該略長方形の長手方向の他端が、当該被適用者の腰部に貼付される第２の部位を構成する請求項１ないし請求項７のいずれか一項に記載の美容用貼付材。
【請求項１８】
前記平面視の形状が略爪形であり、被適用者の爪に貼付される請求項１ないし請求項７のいずれか一項に記載の美容用貼付材。
【請求項１９】
日本工業規格ＪＩＳ  Ｚ  ０２３７に基づく１０％引張荷重が、縦方向及び横方向共に０．０１Ｎ／ｃｍ以上、１．２Ｎ／ｃｍ以下の範囲である請求項１ないし請求項１８のいずれか一項に記載の美容用貼付材。
【請求項２０】
請求項１ないし請求項１９のいずれか一項に記載の美容用貼付材の粘着剤層を肌に接触させて貼付する美容用貼付材の貼付方法。
【発明の詳細な説明】
【技術分野】
【０００１】
本発明は、美容用貼付材及びその貼付方法に係り、特に、優れた美容効果及び化粧方法の新たな分野として注目されているリハビリテーション効果を得ることができる美容用貼付材及びその貼付方法に関する。
【背景技術】
【０００２】
一般に、人は、外観を美しく整えることで、心が元気になり、豊かな気持ちになることができる。顔や身体の外観に悩みがある人にとっては勿論のこと、そのような悩みのない人にとっても、化粧によって外観を美しく整えることにより、心が元気になり、豊かな気持ちになることができる。したがって、化粧は、人が社会生活を送る上で重要な事項の一つである。化粧は、人が自分の中の元気を引き出す作業ともいえる。そのため、太古の昔から、様々な化粧料を用いた化粧が行われてきた。
【０００３】
特に、皺やたるみ等のある肌は、実際の年齢よりも老けて見えたり、不健康そうに見えたりする傾向があり、このような肌を有する人にとって、皺やたるみ等を目立たなくすることは、美容やリハビリテーションの観点からも重要な課題となっている。
【０００４】
美容の観点から、皺やたるみ等を目立たなくするための商品として、例えば、ストレッチ性のある基材に粘着材を３５ｇ／ｍ2以上の厚塗りで塗布した構成を有し、皺の周辺に貼り、皺の周辺から引っ張って皺を伸ばした状態で固定するストレッチテープが紹介されている。（例えば、特許文献１参照）。
【０００５】
また、美容の観点から、顔の筋肉の弛みの矯正、皺の伸展等を予防し改善する商品として、例えば、耳から下の表情筋を被覆し且つ通気性弾性構造体からなる被覆体を有し、当該被覆体の形状が、緩いＶ字状の帯状体で左右対称であり、前記耳から下の表情筋を被覆する被覆部と、該被覆部を顔に保持する保持部とからなり、該被覆部の中央部の幅が顎下部に当接する領域まで延びており、前記被覆体の幅が該中央部から保持部に向かって狭くなる構成を備えた美容補助具も紹介されている。（例えば、特許文献２参照）。
【０００６】
そしてまた、裏面に粘着性を付与した透明性テープからなる皺取りパッチも提案されている。この皺取りパッチは、目の下部に貼り付けて、皺部を長時間押さえた状態にすることにより、皺を防止したり、皺を取り除くために用いられている。（例えば、特許文献３参照）。
【先行技術文献】
【特許文献】
【０００７】
【特許文献１】特開２００４−３１３２７７号公報
【特許文献２】特開２００９−１１２８０３号公報
【特許文献３】特開平１０−１９４９６２号公報
【発明の概要】
【発明が解決しようとする課題】
【０００８】
しかしながら、特許文献１に記載されたストレッチテープは、就寝時に目元、瞼の上、頬等に皮膚の皺を該皺の周辺で引っ張って伸ばし固定して貼るためのものであり、ストレッチ性のある基材に粘着材を３５ｇ／ｍ2以上の厚塗りで塗布した構成を有しているため、当該ストレッチテープを貼付した上からメイクをしたり、ストレッチテープを顔等に貼付した状態で外出をしたりすることが困難であり、使用する時間帯や使用場所等に制限がある。
【０００９】
また、特許文献２に記載された美容補助具は、耳から下の表情筋を被覆する被覆部と、該被覆部を顔に保持する保持部とから構成され、口を覆った状態で適用（貼付）されるため、当該美容補助具を適用（貼付）した上からメイクをしたり、状態で外出をしたりすることが困難であり、使用する時間帯や使用場所等に制限がある。
【００１０】
そしてまた、特許文献３に記載された皺取りパッチは、主として、顔の表情変化が少ない睡眠時等に使用されるものであり、前述した特許文献１及び２と同様に、皺取りパッチを貼付した上からメイクをしたり、皺取りパッチを顔に貼付した状態で外出をしたりすることが困難であり、使用する時間帯や使用場所等に制限がある。
【００１１】
ここで、近年、リハビリテーションを兼ね備えた化粧方法として、様々な化粧料を用いた化粧技術が開発されているが、顔や身体の損傷等の程度によっては、化粧料の適用のみでは十分な効果を発揮できないことがある。リハビリテーションとして、肌の損傷の回復を目的とする場合にも、化粧料の適用のみの化粧方法では限界のある場合がある。特に、顔や首筋等にある皺やたるみは、その程度によっては、化粧料を用いた化粧方法のみで外観を整えることが困難な場合がある。
【００１２】
本発明は、このような事情に鑑みなされたものであり、顔や身体の所定位置に貼付することで、皺やたるみ等を確実に目立たなくすることができると共に、肌に貼付した状態であっても、目立つことがなく、貼付時の違和感もなく、肌の動きに追随することができ、カブレを生じることがなく、周囲の肌と同じような手触り感触があり、さらにその上、化粧料の適用が容易で、自然な感じの化粧が可能な美容用貼付材及びその貼付方法を提供することを目的とする。
【課題を解決するための手段】
【００１３】
この目的を達成するため本発明は、基材層と、当該基材層の片面側に配設された粘着剤層を有する美容用貼付材であって、前記基材層は、ガラス転移温度が０℃以下のポリウレタンエラストマーを主成分とする層からなると共に、１〜１０μｍの厚みを有し、前記粘着剤層は、炭素数８〜１２のアルキル基を有するアクリル酸アルキルエステル及びメタクリル酸アルキルエステルからなる群より選ばれる少なくとも一種の単量体単位を７０重量％以上の割合で含有する共重合体からなるアクリル粘着剤を主成分とする層からなると共に、１〜１５μｍの厚みを有し、前記基材層及び粘着剤層の厚さの合計が２〜２０μｍであり、平面視の形状が、略Ｌ字形、略Ｖ字状、略多角形、略弓形、略三日月形、略爪形、略滴形、略長円形、略円形、略楕円形、ｍ／ｎ円形、ｍ／ｎ楕円形の群から選択される美容用貼付材（但し、ｍ、ｎは整数）を提供するものである。
【００１４】
なお、本発明では、美容用貼付材の平面視の形状に「略」という用語を記載しているが、この「略」は、例えば、角部にＲが付いていたり、直線が若干湾曲している等、ある程度の変形はあるが、その形状を呈していると判断されるものを含むことを意味している。
【００１５】
この構成を備えた美容用貼付材は、被適用者に貼付される部位に応じて、略Ｌ字形、略Ｖ字状、略多角形、略弓形、略三日月形、略爪形、略滴形、略長円形、略円形、略楕円形、ｍ／ｎ円形、ｍ／ｎ楕円形（但し、ｍ、ｎは整数）の群から形状（平面視の形状）を選択することができるため、前記部位やその近傍にある皺やたるみ等を確実に目立たなくすることができる。
【００１６】
また、本発明に係る美容用貼付材は、前記基材層及び粘着剤層の厚さの合計が２〜２０μｍであるため、皺や肌の細かな凹凸（微細な溝）にも適合し、貼付箇所が目立つことがなく、肌の動きに容易に追随することができ、カブレを発生し難く、化粧料や紫外線から肌を保護し、周囲の健常肌と同じような手触り感触があり、貼付状態で化粧料を適用することができる。したがって、美容用貼付材を貼付した状態で外出することが可能である等、ＴＰＯを考慮することなく、いつでも使用することができる。また、化粧をした状態で美容効果を得ることができる。なお、肌の細かな凹凸に適合するとは、本発明の美容用貼付材１が皮溝等を含む肌の細かな凹凸に入り込んで、肌と同様の外観を呈することを意味する。
【００１７】
そしてまた、本発明に係る美容用貼付材は、当該美容用貼付材を貼付した上から化粧することで、化粧料が直接肌につかず、当該美容用貼付材を肌から剥がす際に、化粧料を除去することができ、簡便性や、肌への影響がない等の利点もある。
【００１８】
また、本発明に係る美容用貼付材は、前記粘着剤層の前記基材層が配設されていない側の面に、セパレータ層を配設することができる。このように構成することで、前記利点に加え、前記粘着剤層を保護することができる。また、厚みが薄い美容用貼付材の取扱性をさらに向上させることができる。
【００１９】
そしてまた、本発明に係る美容用貼付材は、前記基材層の前記粘着剤層が配設されていない側の面に、キャリア層を配設することができる。このように構成することで、前記利点に加え、厚みが薄い美容用貼付材の取扱性をさらに向上させることができる。
【００２０】
なお、本発明に係る美容用貼付材が、キャリア層やセパレータ層等の付加的な層を有する場合には、その厚みが追加されることになるが、これらの付加的な層は、使用時に剥離されるため、貼付状態での美容用貼付材の厚みは、基材層の厚みと粘着剤層の厚みの合計厚み、あるいは、基材層の厚みと粘着剤層の厚みの合計厚みになる。
【００２１】
また、本発明に係る美容用貼付材は、前記ポリウレタンエラストマーとして、例えば、ポリエーテル型ポリウレタンエラストマーを使用することができる。また、前記アクリル酸アルキルエステルとしては、例えば、２−エチルヘキシルアクリレート、イソオクチルアクリレート、ｎ−オクチルアクリレート、及びイソノニルアクリレートからなる群より選ばれる少なくとも一種のアクリル酸アルキルエステルを使用することができる。
【００２２】
そしてまた、本発明に係る美容用貼付材は、前記基材層の粘着剤層が設けられていない側の面にエンボス加工が施され、当該エンボス加工が施された面は、角度６０度で測定した光沢度が、０．５〜７．５の範囲内に調整することができる。
【００２３】
さらにまた、前記基材層及び粘着剤層の少なくとも一方を、着色剤によって黄色系またはオレンジ色系の色調に着色することもできる。
【００２４】
また、本発明の一実施態様としては、前記平面視の形状が略Ｌ字形であり、当該略Ｌ字形の角部を挟んだ一端が、被適用者の耳朶の下に貼付される第１の部位を構成し、当該Ｌ字形の角部を挟んだ他端が、当該被適用者の耳朶の下よりも上方に貼付される第２の部位を構成する美容用貼付材を挙げることができる。この構成を備えた美容用貼付材は、前記第１の部位及び第２の部位を、被適用者の所定の位置に貼付することで、口角下のたるみを解消し、肌のハリをアップさせると共に、ほうれい線を目立たなくすることができる。また、口の周りの皺、毛穴を目立たなくすることができ、肌のくすみを解消することもできる。さらに、ＱＯＬ（Quality of Life：一般に人の生活の質、即ち、人がどれだけ人間らしい望み通りの生活を送ることができているかを計るための尺度として働く概念）を向上させることもできる。
【００２５】
そしてまた、本発明の別の一実施態様としては、前記平面視の形状が略三角形であり、当該略三角形の底辺が、被適用者の上瞼の縁に貼付される第１の部位を構成し、当該底辺に対向する角部が、当該被適用者の上瞼の二重を構成する溝を形成すべき位置に貼付される第２の部位を構成する美容用貼付材を挙げることができる。この構成を備えた美容用貼付材は、前記第１の部位及び第２の部位を、被適用者の所定の位置に貼付することで、眼瞼下垂症を解消することができると共に、二重をくっきりさせることができる。また、ＱＯＬを向上させることもできる。
【００２６】
さらにまた、本発明の別の一実施態様としては、前記平面視の形状が略長方形であり、当該略長方形の長手方向の一端が、被適用者の首の後ろ且つ頸椎よりも右側に貼付される第１の部位を構成し、当該略長方形の長手方向の他端が、当該被適用者の首の後ろ且つ頸椎よりも左側に貼付される第２の部位を構成する美容用貼付材を挙げることができる。この構成を備えた美容用貼付材は、前記第１の部位及び第２の部位を、被適用者の所定の位置に貼付することで、首の皺を目立たなくすることができると共に、首のたるみを解消することができる。また、首の肌質を向上させ、ＱＯＬを向上させることもできる。
【００２７】
また、本発明の別の一実施態様としては、前記平面視の形状が略弓形であり、当該略弓形の長手方向の一端が、被適用者のフェースラインの目尻横に貼付される第１の部位を構成し、当該略弓形の長手方向の他端が、当該被適用者の目尻横よりも上方に貼付される第２の部位を構成する美容用貼付材を挙げることができる。この構成を備えた美容用貼付材は、前記第１の部位及び第２の部位を、被適用者の所定の位置に貼付することで、目の下のたるみや、目の下のくまを解消することができ、目の周りの皺や眉間の皺を目立たなくすることができる。また、ＱＯＬを向上させることもできる。
【００２８】
そしてまた、本発明の別の一実施態様としては、前記平面視の形状が略弓形であり、当該略弓形の長手方向の一端が、被適用者のフェースラインの耳朶近傍に貼付される第１の部位を構成し、当該略弓形の長手方向の他端が、当該被適用者の耳の上部裏側に貼付される第２の部位を構成する美容用貼付材を挙げることができる。この構成を備えた美容用貼付材は、前記第１の部位及び第２の部位を、被適用者の所定の位置に貼付することで、目の周りの皺や毛穴を目立たなくすることができる。また、肌のくすみを解消し、肌質を改善することができる。そしてまた、ＱＯＬを向上させることもできる。
【００２９】
また、本発明の別の一実施態様としては、前記平面視の形状が略長方形であり、当該略長方形の長手方向の一端が、被適用者の鼻孔に貼付される第１の部位を構成し、当該略長方形の長手方向の他端が、当該被適用者の鼻孔から延出して鼻の下に貼付される第２の部位を構成する美容用貼付材を挙げることができる。この構成を備えた美容用貼付材は、前記第１の部位及び第２の部位を、被適用者の所定の位置に貼付することで、例えば、花粉等のアレルギーを引き起こす物質が鼻孔の表面に付着することを防止することができる。
【００３０】
さらにまた、本発明の別の一実施態様としては、前記平面視の形状が略長方形であり、当該略長方形の長手方向の一端が、被適用者のフェースラインの首の付け根近傍に貼付される第１の部位を構成し、当該略長方形の長手方向の他端が、当該被適用者の首の付け根よりも下方に貼付される第２の部位を構成する美容用貼付材を挙げることができる。この構成を備えた美容用貼付材は、前記第１の部位及び第２の部位を、被適用者の所定の位置に貼付することで、フェースラインのたるみを解消することができると共に、肌の凹凸を均一に整えることができる。また、ＱＯＬを向上させることもできる。
【００３１】
また、本発明の別の一実施態様としては、前記平面視の形状が略長方形であり、当該略長方形の長手方向の一端が、被適用者の手首の甲側に貼付される第１の部位を構成し、当該略長方形の長手方向の他端が、当該被適用者の手首の掌側に貼付される第２の部位を構成する美容用貼付材を挙げることができる。この構成を備えた美容用貼付材は、前記第１の部位及び第２の部位を、被適用者の所定の位置に貼付することで、手首周辺の皺を目立たなくすることができると共に、ＱＯＬを向上させることもできる。
【００３２】
そしてまた、本発明の別の一実施態様としては、前記平面視の形状が略長方形であり、当該略長方形の長手方向の一端が、被適用者の脇の乳房近傍に貼付される第１の部位を構成し、当該略長方形の長手方向の他端が、当該被適用者の鎖骨近傍に貼付される第２の部位を構成する美容用貼付材を挙げることができる。この構成を備えた美容用貼付材は、前記第１の部位及び第２の部位を、被適用者の所定の位置に貼付することで、バストアップを行うことができると共に、ＱＯＬを向上させることもできる。
【００３３】
また、本発明の別の一実施態様としては、前記平面視の形状が略長方形であり、当該略長方形の長手方向の一端が、被適用者の後部大腿の付け根近傍に貼付される第１の部位を構成し、当該略長方形の長手方向の他端が、当該被適用者の腰部に貼付される第２の部位を構成する美容用貼付材を挙げることができる。この構成を備えた美容用貼付材は、前記第１の部位及び第２の部位を、被適用者の所定の位置に貼付することで、ヒップアップを行うことができると共に、ＱＯＬを向上させることもできる。
【００３４】
さらにまた、本発明の別の一実施態様としては、前記平面視の形状が略爪形であり、被適用者の爪に貼付される美容用貼付材を挙げることができる。この構成を備えた美容用貼付材は、被適用者の爪に貼付することで、美容用貼付材の上からネイルカラーをムラなく施すことができると共に、ネイルカラーを除去したい際には、美容用貼付材を剥がすことができるため、除光液を使用せずにネイルカラーを除去することができ、爪の健康を損なうこともない。また、ネイルアートも簡単に施すことができ且つ簡単に取り除くこともできる。
【００３５】
また、本発明に係る美容用貼付材は、日本工業規格ＪＩＳ  Ｚ  ０２３７に基づく１０％引張荷重が、縦方向及び横方向共に０．０１Ｎ／ｃｍ以上、１．２Ｎ／ｃｍ以下の範囲であるよう構成することができる。このように引張荷重を設定することで、前記利点に加え、美容用貼付材を肌に貼付した際に、当該美容用貼付材が肌の動きに追従し、違和感を覚えることがない。なお、この引張荷重は、縦方向及び横方向共に、０．０１〜１．２Ｎ／ｃｍが好ましく、０．０１〜１．０Ｎ／ｃｍであることがより好ましく、０．０１〜０．５Ｎ／ｃｍであることがさらに好ましく、０．０１〜０．３Ｎ／ｃｍであることが特に好ましい。
【００３６】
そしてまた、本発明は、前述した美容用貼付材の粘着剤層を肌に接触させて貼付する美容用貼付材の貼付方法を提供するものである。この貼付方法によれば、皺やたるみ等を確実に目立たなくすることができると共に、肌に貼付した状態であっても、目立つことがなく、貼付時の違和感もなく、肌の動きに追随することができ、カブレを生じることがなく、周囲の肌と同じような手触り感触があり、さらにその上、化粧料の適用が容易で、自然な感じの化粧を行うことができる。
【発明の効果】
【００３７】
本発明に係る美容用貼付材によれば、被適用者に貼付される部位に応じて、略Ｌ字形、略Ｖ字状、略多角形、略弓形、略三日月形、略爪形、略滴形、略長円形、略円形、略楕円形、ｍ／ｎ円形、ｍ／ｎ楕円形（但し、ｍ、ｎは整数）の群から形状（平面視の形状）を選択することができるため、前記部位やその近傍にある皺やたるみ等を確実に目立たなくすることができると共に、肌に貼付した状態であっても、目立つことがなく、貼付時の違和感もなく、肌の動きに追随することができ、カブレを生じることがなく、周囲の肌と同じような手触り感触があり、さらにその上、化粧料の適用が容易で、自然な感じの化粧を行うことができる。
【００３８】
また、本発明に係る美容用貼付材の貼付方法によれば、皺やたるみ等を確実に目立たなくすることができると共に、肌に貼付した状態であっても、目立つことがなく、貼付時の違和感もなく、肌の動きに追随することができ、カブレを生じることがなく、周囲の肌と同じような手触り感触があり、さらにその上、化粧料の適用が容易で、自然な感じの化粧を行うことができるという効果を得ることができる。
【図面の簡単な説明】
【００３９】
【図１】本発明の実施形態１に係る美容用貼付材の平面図である。
【図２】図１に示す美容用貼付材の断面図である。
【図３】図１に示す美容用貼付材を貼付した状態を示す模式図である。
【図４】本発明の実施形態２に係る美容用貼付材の平面図である。
【図５】図４に示す美容用貼付材を貼付した状態を示す模式図である。
【図６】本発明の実施形態３に係る美容用貼付材の平面図である。
【図７】図６に示す美容用貼付材を首の後ろに貼付した状態を示す模式図である。
【図８】図６に示す美容用貼付材をフェースラインから首にかけて貼付した状態を示す模式図である。
【図９】図６に示す美容用貼付材を手首に貼付した状態を示す模式図である。
【図１０】図６に示す美容用貼付材を鼻に貼付した状態を示す模式図である。
【図１１】図６に示す美容用貼付材を脇から鎖骨近傍にかけて貼付した状態を示す模式図である。
【図１２】図６に示す美容用貼付材を後部大腿の付け根から腰部にかけて貼付した状態を示す模式図である。
【図１３】本発明の実施形態４に係る美容用貼付材の平面図である。
【図１４】図１３に示す美容用貼付材を目尻から額にかけて貼付した状態を示す模式図である。
【図１５】図１３に示す美容用貼付材を耳の近傍に貼付した状態を示す模式図である。
【図１６】図１３に示す美容用貼付材を目の周りに貼付した状態を示す模式図である。
【図１７】本発明の実施形態５に係る美容用貼付材の平面図である。
【図１８】図１７に示す美容用貼付材を爪に貼付した状態を示す模式図である。
【発明を実施するための形態】
【００４０】
次に、本発明の実施形態に係る美容用貼付材及びその貼付方法について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００４１】
［実施形態１］
図１は、本発明の実施形態１に係る美容用貼付材の平面図、図２は、図１に示す美容用貼付材の断面図、図３は、図１に示す美容用貼付材を貼付した状態を示す模式図である。なお、前記各図では、説明を判り易くするため、各部材の厚さやサイズ、拡大・縮小率等は、実際のものとは一致させずに記載した。
【００４２】
図１及び図２に示す美容用貼付材１は平面視の形状が略Ｌ字形を有し、基材層１１と、基材層１１の片面側に配設された粘着剤層１２と、基材層１１の粘着剤層１２が配設されている面とは反対側の面に配設されたキャリア層１３と、粘着剤層１２の基材層１１が配設されている面とは反対側の面に配設されたセパレータ層１４と、を備えて構成されている。
【００４３】
この美容用貼付材１は、図１に示すように、略Ｌ字形の角部１５を挟んだ一端部が、被適用者の耳朶の下に貼付される第１の部位１６となっており、角部１５を挟んだ他端部が、当該被適用者の耳朶の下よりも上方に貼付される第２の部位１７となっている。
【００４４】
基材層１１は、厚さが１〜１０μｍであり、ガラス転移温度が０℃以下のポリウレタンエラストマーを主成分とした層から構成されている。このポリウレタンエラストマーは、分子中にウレタン基を持つエラストマーであり、ポリオール成分とジイソシアネート成分との重付加反応によって生成する。ポリオール成分としては、長鎖ジオールが用いられるが、それに加えて、鎖延長剤として短鎖ジオールが併用されることがある。この他、トリメチロールプロパン、グリセリン、ソルビトールのような単分子ポリオール等の架橋剤が用いられることがある。ポリウレタンエラストマーの製造技術は、当業界で周知技術である。
【００４５】
ポリウレタンエラストマーは、ソフトセグメントを構成するポリオール成分の種類がその性質に大きく影響するため、ポリオール成分の種類によって分類されている。具体的には、ポリウレタンエラストマーは、（１）カプロラクトンを開環重合して得られるポリラクトンエステルポリオールとジイソシアネートとの重付加反応により合成したカプロラクトン型ポリウレタンエラストマー、（２）アジピン酸とグリコールとのアジピン酸エステルポリオールとジイソシアネートとの重付加反応により合成したアジピン酸エステル型ポリウレタンエラストマー、及び（３）テトラヒドロフランの開環重合で得られたポリテトラメチレングリコール等のポリエーテルポリオールとジイソシアネートとの重付加反応により合成したポリエーテル型ポリウレタンエラストマーに大別される。
【００４６】
ポリウレタンエラストマーは、引張強さや引裂強さ等の機械的特性、耐摩耗性、低温特性、柔軟性等に優れることに加え、その薄膜は、紫外線吸収性、吸水性、透湿性等に優れている。ポリウレタンエラストマーを主成分とする薄膜を基材層１１とする美容用貼付材１は、皺や肌の溝等の細かい凹凸にも良く適合し、肌に貼付した場合に違和感を覚えることがない。
【００４７】
ポリウレタンエラストマーの薄膜を基材層１１とする美容用貼付材１は、基材層１１が吸水性と透湿性を有するため、肌の貼付部位に汗が溜まったり、蒸れを生じることが少ない。そのため、美容用貼付材１は、貼付部位にカブレや痒みを生じさせることが極めて少ない。また、ポリウレタンエラストマーの薄膜は、吸水性があり、水となじみやすいため、化粧料の適用も容易である。これらのポリウレタンエラストマーの中でも、美容用貼付材１の基材層１１として優れた総合的機能を発揮し得る点で、ポリエーテル型ポリウレタンエラストマーが好ましい。
【００４８】
ジイソシアネートとしては、例えば、トリレンジイソシアネート、ジフェニルメタンジイソシアネート、ポリメチレンポリフェニレンポリイソシアネート、トリジンジイソシアネート、ナフタレンジイソシアネート等の芳香族ジイソシアネート；ヘキサメチレンジイソシアネート、イソホロンジイソシアネート、キシリレンジイソシアネート、ジシクロヘキシルメタンジイソシアネート、水添キシレンジイソシアネート等の脂肪族ジイソシアネート；等が挙げられるが、これらに限定されない。
【００４９】
前記カプロラクトン型ポリウレタンエラストマーは、ポリオール成分として、カプロラクトンを開環重合して得られるポリラクトンエステルポリオールを使用する。アジピン酸エステル型ポリウレタンエラストマーは、ポリオール成分として、アジピン酸とグリコールとのアジピン酸エステルポリオールを使用する。ポリエーテル型ポリウレタンエラストマーは、ポリオール成分として、ポリ（オキシプロピレン）グリコール（ＰＰＧ）、ポリ（オキシテトラメチレン）グリコール（ＰＴＭＧ）等の二官能ポリエーテルポリオールを使用する。
【００５０】
本発明に適したポリエーテル型ポリウレタンエラストマーとしては、市販品では、ＢＡＳＦジャパン株式会社のエラストラン（登録商標）（１１８０Ａ、１１９０ＡＴＲ、１１９５ＡＴＲ、１１９８ＡＴＲ、１１５４Ｄ、１１６４Ｄ、ＥＴ３８５、ＥＴ８８０、ＥＴ８８５、ＥＴ８９０、ＥＴ８５８Ｄ、ＥＴ８６０Ｄ、ＥＴ８６４Ｄ、ＮＹ９０Ａ、ＮＹ９７Ａ、ＥＴ３７０）、日本ミラクトラン株式会社のミラクトラン（登録商標）（Ｅ３００シリーズ、Ｐ３００シリーズ）、大日精化工業株式会社のレザミン（登録商標）（Ｐ−２０００シリーズ）、ＤＩＣ Ｂａｙｅｒ Ｐｏｌｙｍｅｒ Ｌｔｄ（ディーアイシーバイエルポリマー株式会社）のパンデックス（登録商標）（Ｔ８１７５、Ｔ８１８０、Ｔ８１８５、Ｔ８１９０、Ｔ８１９５、ＤＰ９３７０Ａ、５３７７Ａ、５８８、ＫＵ２−８６５９、ＤＰ５０９４Ａ）等を挙げることができる。
【００５１】
前記ポリウレタンエラストマーのガラス転移温度（Ｔｇ）は、０℃以下であり、好ましくは−１０℃以下である。ガラス転移温度の下限値は、約−７０℃である。ガラス転移温度は、示差走査熱量計（ＤＳＣ）を用いて測定することができる。美容用貼付材１を、平均体温が３６．５℃の肌面に貼付した場合、基材層１１のガラス転移温度が低いことによって、美容用貼付材１の柔軟性を確保することができる。肌に美容用貼付材１を貼付した際に、基材層１１の柔軟性が優れていると、化粧料の適用が容易である（化粧の乗りが良好である）。化粧料を適用する前に、貼付中の美容用貼付材１の基材層１１の表面に水を施すと、ポリウレタンエラストマーからなる基材層１１が柔らかくなり、肌面によりなじみ易くなる上、化粧料の乗りが良好になる。ポリウレタンエラストマーは、ガラス転移温度が低いため、体温付近の温度で柔軟性に優れており、肌面への適合性、化粧料の適用性等に優れている。
【００５２】
基材層１１の厚みは、１〜１０μｍの範囲内であり、好ましくは１〜８μｍ、より好ましくは１〜６μｍ、さらに好ましくは１〜５μｍの範囲内である。基材層１１の厚みが１〜１０μｍの範囲内であると、美容用貼付材１が肌の微小な凹凸に適合し、肌の動きに容易に追随し、かつ、貼付箇所が目立たなくなる。基材層１１の厚みが１μｍに満たない場合には、基材層１１の強度が十分ではなく、貼付中あるいは美容用貼付材１を肌から剥がす際に基材層１１が切れてしまう場合がある。一方、基材層１１の厚みが１０μｍを超えると、貼付箇所が目立ちやすくなることに加えて、肌の表面への適合性や肌の動きに対する追随性が低下する。
【００５３】
基材層１１の厚みが極めて薄いことによって、透湿性を向上させることもできる。極めて薄いポリウレタンエラストマー層は、吸水性と透湿性に優れるため、美容用貼付材１の貼付箇所に汗や水分が溜まって、カブレや痒みを生じさせることや、損傷部の保護を阻害することが極めて少ない。
【００５４】
本発明の美容用貼付材１は、ポリウレタンエラストマーからなる基材層１１の厚みが薄く、且つ、柔軟性に優れているため、皺またはたるみのある肌の部位を引っ張って貼付すると、肌に密着し、引っ張りを解くと、皮溝や皺等の内部に入り込む状態になる。そのため、美容用貼付材１が皺等のある肌の表面で折り畳まれたような状態となり、貼付部位が平坦に見え、その結果、皺またはたるみが少なくなるように見える効果を奏することができる。
【００５５】
基材層１１の背面（基材層１１の粘着剤層１２が設けられていない側の表面）は、エンボス加工することが望ましい。エンボス加工は、ポリウレタンエラストマーのフィルムをエンボスロールに通すことによって行うことができる。ポリウレタンエラストマー層を溶液キャスティング法により成形する場合には、表面に微細な凹凸を設けたキャリア層（溶液を塗布する支持体）上にキャスティングする方法によってエンボス加工を行うことができる。キャリア層表面の微細な凹凸は、ポリウレタンエラストマー層に転写される。したがって、本発明において、エンボス加工とは、エンボスロールを用いた機械的な処理だけではなく、ポリウレタンエラストマー層の表面に微細な凹凸を形成することができる他の方法をも包含するものである。
【００５６】
エンボス加工処理の程度は、角度６０度で測定した基材層背面の光沢度によって定量的に評価することができる。日本工業規格（ＪＩＳ規格）では、光沢度の基準として、屈折率１．５６７のガラス表面における入射角６０度で測定した反射率１０％を光沢度１００％として用いている。本発明では、光沢度計としてｍｉｃｒｏ−ＴＲＩ−ｇｒｏｓｓ（東洋精機社製）を用い、角度６０度で光沢度を測定する。
【００５７】
基材層１１の背面の光沢度は、０．５〜７．５、好ましくは１〜６の範囲内である。ポリウレタンエラストマーからなる基材層１１の光沢度が前記範囲内となるように、該基材層をエンボス加工することによって、美容用貼付材１の貼付状態が外観上より不自然に感じられないようにすることができることに加えて、化粧料の適用がさらに容易となる。
【００５８】
本発明の美容用貼付材１は、基材層１１の材質がポリウレタンエラストマーであることにより、健常肌と同じような手触りの感触がある。傷跡やケロイド等の肌は、健常肌のキメが失われて、プラスチックフィルム表面のようにつるつるしていることが多い。肌の疾患の種類によっては、肌に過度な凹凸、キメの乱れ、乾燥等が生じて、ガサガサとした荒れた手触りとなる場合もある。本発明の美容用貼付材１は、上記の如き損傷等のある肌の部位に貼付すると、周囲の健常肌と同じような手触り感触を得ることができる。基材層１１の背面をエンボス加工することによって、貼付時において、周囲の健常肌と同じような手触り感触をさらに良好にすることができる。手触り感触の改善によって、被適用者の心の満足度を向上させるという、心理的なリハビリテーション効果をさらに高めることもできる。
【００５９】
ポリウレタンエラストマーは、例えば、押出成形法、溶液キャスティング法、カレンダー法等、一般的なフィルムまたはシートの成形方法を採用することにより、薄い基材層１１に成形することができる。ポリウレタンエラストマーの有機溶剤溶液を支持体上にキャスティングし、有機溶剤を揮散させる溶液キャスティング法は、均一な厚みの薄いポリウレタンエラストマー層を容易に形成できる点で好ましい製膜法である。支持体の表面に微細な凹凸を設けておくと、形成したポリウレタンエラストマー層の表面に微細な凹凸を転写することができる。支持体としてキャリア材を用いると、ポリウレタンエラストマーからなる支持体層の背面にキャリア層を有する美容用貼付材１が得られる。
【００６０】
基材層１１は、貼付中の違和感（肌が伸びた時等に感じる美容用貼付材１の抵抗感）の観点から、物性の方向による差（異方性）が殆どないことが好ましい。この観点からは、製膜方法として、物性の方向による差が表れない溶液キャスティング法やカレンダー法が好ましく、溶液キャスティング法がより好ましい。
【００６１】
ポリウレタンエラストマーには、顔料や染料等の着色剤、酸化防止剤、紫外線吸収剤、滑剤、充填剤、軟化剤等の各種添加剤を、所望により含有させることができる。着色剤は、美容用貼付材１の色調を肌色に合わせるのに利用することができるが、損傷等のある肌の貼付部位の外観が目立たないようにするために、着色剤は、黄色系、オレンジ色系等が好ましい。
【００６２】
また、ポリウレタンエラストマーからなる基材層１１は、紫外線吸収性に優れており、波長２８０〜４００ｎｍの範囲で測定した時、該波長域内で２０％以下、好ましくは１５％以下の紫外線透過率を示す。波長２８０〜３６０ｎｍの領域では、１４％以下の紫外線透過率を示す。特に、波長が３００ｎｍ以下の領域では、紫外線透過率が１０％以下にまで急激に低下する。紫外線透過率は、日本分光株式会社製の紫外可視分光光度計（Ｕｂｅｓｔ−Ｖ５３０）を用いて測定した。
【００６３】
粘着剤層１２は、厚さが１〜１５μｍであり、炭素数８〜１２のアルキル基を有するアクリル酸アルキルエステル及びメタクリル酸アルキルエステルからなる群より選ばれる少なくとも一種の単量体単位を７０重量％以上の割合で含有する共重合体からなるアクリル粘着剤を主成分とする層から構成されている。
【００６４】
粘着剤層１２を構成する主成分であるアクリル粘着剤は、肌に貼付した際に、カブレが生じ難く、透明感があり、粘着特性の調整がし易いという特徴を有している。前記単量体の中でも、アクリル酸アルキルエステルが好ましく、より具体的には、例えば、２−エチルヘキシルアクリレート、イソオクチルアクリレート、ｎ−オクチルアクリレート、及びイソノニルアクリレートがより好ましい。また、前記アクリル酸エステル共重合体は、前記単量体単位を８０重量％以上の割合で含有することがより好ましい。そしてまた、前記アクリル酸エステル共重合体は、前記の一種以上の単量体の共重合体であってもよいが、他のコモノマーとの共重合体であることがより好ましい。
【００６５】
他のコモノマーとしては、アクリル酸、メタクリル酸等のカルボキシル基を有するモノマー；ヒドロキシエチルアクリレート、ヒドロキシプロピルアクリレート等の水酸基を有するモノマー；等の官能基を含有するモノマーが挙げられる。他のコモノマーとしては、酢酸ビニル、スチレン、ビニルピロリドン、アクリルアミド等の各種モノマーも使用することができる。さらに、エチルアクリレート、ブチルアクリレート等、炭素数８〜１２のアルキル基以外のアルキル基を有するアクリル酸アルキルエステルまたはメタクリル酸アルキルエステルをコモノマーとして用いることもできる。
【００６６】
好ましいアクリル酸エステル共重合体としては、炭素数８〜１２のアルキル基を有するアクリル酸アルキルエステル及びメタクリル酸アルキルエステルからなる群より選ばれる少なくとも一種の単量体７０〜９５重量％、官能基を有するコモノマー１〜１０重量％、その他のコモノマー０〜２５重量％を共重合して得られる共重合体を挙げることができる。
【００６７】
アクリル粘着剤は、前記モノマー成分を、トルエン、ヘキサン、酢酸エチル等の有機溶媒中で、過酸化ベンゾイル等の過酸化物、ＡＩＢＮ（アゾビスイソブチロニトリル）等のアゾ系化合物を開始剤として、窒素雰囲気下で溶液重合することにより調製することができる。アクリル粘着剤は、モノマー成分を水中で乳化剤にて乳化分散した後、乳化重合することによっても調製することができる。アクリル粘着剤に、エポキシ樹脂等の架橋剤を加えて、粘着剤層の形成工程で架橋させてもよい。
【００６８】
粘着剤層１２の厚みは、１〜１５μｍ、好ましくは１〜１２μｍ、より好ましくは１〜８μｍ、特に好ましくは１〜６μｍである。粘着剤層１２は、基材層１１に比べて引張抵抗力が小さく、伸縮性が高いため、基材層１１の厚み範囲よりも広い範囲とすることができる。しかし、粘着剤層１２の厚みが大きくなり過ぎると、皺や肌の細かな凹凸に適合することが困難となる傾向があり、貼付状態が目立ち易くなる。粘着剤層１２の厚みが薄過ぎると、均一な粘着剤層１２の形成が困難となる傾向があることに加えて、肌への貼付性が不十分となり易い。
【００６９】
粘着剤層１２を極めて薄くすると、肌上に見られる極小の溝である皮溝のような、肌の細かな凹凸への適合性に優れるものの、肌に対する粘着力が低下することがある。本発明では、基材層１１の厚みが１〜１０μｍ、粘着剤層の厚みが１〜１５μｍ、且つ、基材層１１と粘着剤層１２との合計厚みが２〜２０μｍの範囲にある美容用貼付材１において、粘着剤層１２が、ＪＩＳ  Ｚ  ０２３７に準じてクロスヘッドの移動速度が毎分３００±３０ｍｍの速さで測定される対ベークライト板の９０度剥離力が０．１Ｎ／１０ｍｍ以上を示すように、粘着剤の粘着性を調整することが好ましい。この剥離力は、粘着剤層１２の粘着力に相当する特性である。
【００７０】
前述した０．１Ｎ／１０ｍｍという剥離力（粘着力）の下限値は、必ずしも大きい値ではないが、基材層１１が薄く柔軟であるため、基材層１１の厚みと剥離力が適切な範囲を満たしていれば、美容用貼付材１として十分な機能を発揮できるため好ましい。粘着剤層１２の剥離力は、好ましくは０．１〜３Ｎ／１０ｍｍ、より好ましくは０．２〜３Ｎ／１０ｍｍである。剥離力（粘着力）が高過ぎると、貼付部にカブレが生じ易くなったり、使用後の肌からの美容用貼付材１の剥離が困難になり易くなる。
【００７１】
粘着剤層１２には、必要に応じて、顔料や染料等の着色剤等の各種添加剤を添加することができる。着色剤は、美容用貼付材１の色調を肌色に合わせるのに利用することができるが、損傷等のある肌の貼付部位の外観が目立たないようにするために、着色剤は、黄色系、オレンジ色系等が好ましい。この他、例えば、抗菌剤、保湿剤、美白剤、抗皺剤、抗たるみ剤、抗くすみ剤、育毛剤、美爪剤、ビタミン類、香料等を配合して付加的な機能を付与することもできる。
【００７２】
基材層１１と粘着剤層１２の厚さの合計は、２〜２０μｍの範囲であり、好ましくは２〜１５μｍ、より好ましくは２〜１０μｍ、特に好ましくは２〜７μｍの範囲内である。この合計厚みが２〜２０μｍの時は、基材層１１の厚みが１〜１０μｍであり、粘着剤層１２の厚みが１〜１５μｍであることが好ましい。また、前記合計厚みが２〜１５μｍの時は、基材層１１の厚みが１〜８μｍであり、粘着剤層１２の厚みが１〜１２μｍであることが好ましい。さらにまた、前記合計厚みが２〜１０μｍの時は、基材層１１の厚みが１〜６μｍであり、粘着剤層１２の厚みが１〜８μｍであることが好ましい。そしてまた、前記合計厚みが２〜７μｍの時は、基材層１１の厚みが１〜５μｍで、粘着剤層１２の厚みが１〜６μｍであることが好ましい。基材層１１、粘着剤層１２、両者の合計厚みは、ダイヤルゲージにより測定することができる。
【００７３】
また、基材層１１と粘着剤層１２との間には、両層との密着性に優れた他の弾性体層（図示せず）を配置したり、後述するキャリア層１３と基材層１１との間に他の粘着剤層（図示せず）を配置したりすることもできる。
【００７４】
キャリア層１３は、基材層１１に皺が入るのを防止すると共に、美容用貼付材１の腰を強くして、貼付部位への貼付作業を容易にすることができる。このキャリア層１３は、美容用貼付材１を肌に貼付する際に、基材層１１から剥離されるようになっている。このキャリア層１３が配設された美容用貼付材１は、キャリア層１３を支持体層として用いて、溶液キャスティング法によってポリウレタンエラストマーからなる基材層１１をその上に形成することができる。
【００７５】
キャリア層１３は、例えば、ポリウレタン、ポリエチレン、ポリプロピレン、アイオノマー、ポリアミド、ポリ塩化ビニル、ポリ塩化ビニリデン、エチレン酢酸ビニル共重合体、熱可塑性ポリエステル、ポリテトラフルオロエチレン等の各種熱可塑性樹脂からなるフィルムを用いて形成することが好ましい。環境保全を目的として、キャリア層１３は、ポリヒドロキシブチレート、ポリヒドロキシブチレート樹脂、ポリヒドロキシアルカノエート、マルトトリオース、ポリ乳酸、ポリ乳酸系樹脂、ポリエチレンサクシネート、ポリエチレンサクシネート樹脂、ポリブチレンサクシネート樹脂、ポリカプロラクトン樹脂、ポリブチレンアジペートテレフタレート、ポリテトラメチレンアジペートテレフタレート、ポリエチレンテレフタレート樹脂、ポリビニルアルコール、ポリグリコール酸、デンプン脂肪酸エステル、デンプン加工樹脂、デンプンポリエステル、酢酸セルロース、キトサン等に代表される生分解性を有する各種プラスチックからなるフィルムを用いて形成することもできる。各種フィルムは、紙にラミネートされた状態のものでもよい。これらのキャリア層は、ポリウレタンエラストマー層に比べて、厚みが厚いか、腰の強いものとすることが望ましい。
【００７６】
セパレータ層１４は、粘着テープの技術分野において、一般に、離型紙、剥離紙、剥離ライナー等と呼ばれているものを用いる。セパレータ層１４としては、例えば、表面をシリコーン処理したポリエチレンテレフタレートフィルム、表面をシリコーン処理したポリエチレンと紙との積層体等が挙げられる。このセパレータ層１４の存在により、美容用貼付材１は、個々の製品に分割して製造販売し、使用することができる。
【００７７】
この構成を備えた美容用貼付材１は、セパレータ層１４上に粘着剤層１２を形成する一方、キャリア層１３上に基材層１１を形成し、次いで、セパレータ層１４の粘着剤層１２とキャリア層１３の基材層１１とを貼り合わせて製造する方法により作製することが好ましい。また、美容用貼付材１は、キャリア層１３とフィルム状の基材層１１とを積層する工程を含む方法によって作製してもよい。
【００７８】
基材層１１の背面に、エンボス加工により微小な凹凸を形成する方法としては、例えば、キャリア層１３上に基材層１１を形成する方法を採用する場合には、キャリア層１３を構成するキャリア材の表面に微細な凹凸を設けておき、その微細な凹凸を基材層１１に転写することが挙げられる。キャリア材に微細な凹凸を形成するには、エンボスロールを用いた公知のエンボス加工法を採用することができる。別の方法として、キャリア材の表面をサンドブラスト処理したり、キャリア材にフィラーを含ませたりして、微細な凹凸を形成してもよい。
【００７９】
一方、セパレータ層１４の上に粘着剤層１２を形成するには、セパレータ材上に溶液キャスティング法によってアクリル粘着剤溶液を塗布し、乾燥する方法を採用することが好ましい。
【００８０】
また、本発明の美容用貼付材１は、日本工業規格ＪＩＳ  Ｚ  ０２３７に従って、１０％引張荷重を測定したとき、縦方向及び横方向共に０．０１〜１．２Ｎ／ｃｍの範囲内の引張荷重を示すように形成されている。このため、美容用貼付材１は、肌の動きに追従して貼付中に違和感を覚えることが殆どない。なお、実施形態１では、前記引張荷重を０．０１〜０．３Ｎ／ｃｍの範囲で設定した。
【００８１】
次に、実施形態１に係る美容用貼付材１の貼付方法について図３を参照して説明する。先ず、美容用貼付材１からセパレータ層１４を剥がした後、図３に示すように、美容用貼付材１の第１の部位１６を、被適用者１００の耳朶１０１の下に位置させて押さえる。次に、第１の部位１６を押さえた状態で、美容用貼付材１を後ろ側（図３の矢印Ｘ方向）に引き、角部１５を被適用者１００の耳の後ろで押さえる。次に、角部１５を押さえた状態で、被適用者１００の顔全体を引き上げるように美容用貼付材１を上方に向けて引き上げ、その位置で第２の部位１７を押さえ、被適用者１００に貼付する。
【００８２】
このように美容用貼付材１を被適用者１００に貼付することで、被適用者１００の口角付近が引き上げられ、口角下のたるみを解消し、肌のハリをアップさせると共に、ほうれい線を目立たなくすることができる。さらに、口の周りの皺、毛穴を目立たなくすることができ、肌のくすみを解消することもできる。この結果、ＱＯＬを向上させることができる。
【００８３】
ここで、美容用貼付材１は、貼付箇所が目立つことがなく、肌と同様の外観を呈すると共に、肌の動きに容易に追随することができるため、美容用貼付材１により前記美容上の利点を得ていることを第三者に気づかれることがない。また、粘着剤層１２が薄く、かつ、基材層１１が吸水性及び透湿性に優れるため、汗が溜まったり、蒸れたりして、カブレや痒みを引き起こすことが少ない。化粧料を適用するに際し、基材層１１の背面から水を施すと、ポリウレタンエラストマーからなる基材層１１が柔らかくなり、肌面によりなじみ易くなる上、化粧料の乗りが良好になる。ポリウレタンエラストマーは、ガラス転移温度が低いため、体温付近の温度で柔軟性に優れており、肌面への適合性、化粧料の適用性等に優れている。
【００８４】
なお、本発明の美容用貼付材１の目立ちにくさや違和感を少なくする上で、美容用貼付材１の厚み、基材層１１の厚み、及び美容用貼付材１の伸び易さが特定の関係にあることが好ましいことが見出された。例えば、美容用貼付材１または基材層１１の厚みが厚ければ、人の肌の動きへの追随性が十分ではない。その一方で、美容用貼付材１が伸び易ければ、肌の動きへの追随性がよいから、美容用貼付材１または基材層１１が多少厚くてもよいというように、美容用貼付材１もしくは基材層１１の厚みと伸び易さとには相互関係がある。
【００８５】
本発明の美容用貼付材１は、日本工業規格ＪＩＳ  Ｚ  ０２０８に従って、温度４０℃及び相対湿度９０％の条件下で測定したとき、１，０００ｇ／ｍ２・２４ｈｒ以上の透湿度を示すものであることが望ましい。この透湿度は、好ましくは３，０００〜１０，０００ｇ／ｍ２・２４ｈｒである。
【００８６】
目標とする透湿度は、美容用貼付材１を構成する基材層１１や粘着剤層１２の種類や厚み等を選択することにより達成することができる。この他、美容用貼付材１に微小な孔を設けることによって、透湿度を高める方法も採用することができる。
【００８７】
本発明の美容用貼付材１は、基材層１１、粘着剤層１２、またはこれら両層が、着色剤によって黄色系の色調に着色されていることが好ましい。黄色系では、測色計によるＬ＊ａ＊ｂ＊表色系の測定値が、下記式１〜３
４５＜Ｌ＊＜９０          ・・・１
−８＜ａ＊＜１２          ・・・２
２０＜ｂ＊＜５０          ・・・３
で表わされる関係を満足するように、着色剤によって黄色系の色調に着色されていることが好ましい。測色計でのＬ＊ａ＊ｂ＊表色系で表した測定値は、５５＜Ｌ＊＜８０、−４＜ａ＊＜８、及び３０＜ｂ＊＜５０の関係を満足するものであることがより好ましい。
【００８８】
Ｌ＊ａ＊ｂ＊表色系では、Ｌ＊値は、明るさを表す明度の程度を表す。ａ＊値は、数値が高くなると赤色、低くなると緑色の程度を表す。ｂ＊値は、数値が高くなると黄色、低くなると青色の程度を表す。表色系の測定は、測色計（ＣＭ−３５００ｄ、ミノルタ製）を使用し、標準白板によって、基準のＬ＊ａ＊ｂ＊を定め、表面色を、Ｌ＊ａ＊ｂ＊表色系で表す方法によって行う。
【００８９】
本発明の美容用貼付材１の各層を着色するには、イエロー、シアン、マゼンタ、ブラック等の各色の顔料または染料を、それぞれ単独で、あるいは２種以上を組み合わせて使用することにより、所望の色調となるようにすればよい。これらの着色剤は、各層に混合して用いることができる。あるいは、これらの着色剤を含有する塗布液を、基材層に塗布して着色する方法を採用してもよい。前記Ｌ＊ａ＊ｂ＊表色系の測定値を得るには、例えば、シアン着色剤３／マゼンタ着色剤３／イエロー着色剤４７（重量比）の混合物を用いる方法が挙げられる。このような混合物は、各色のインクを混合して調製してもよい。
【００９０】
本発明の美容用貼付材１は、基材層１１、粘着剤層１２、またはこれら両層が、黄色またはオレンジ色に着色されていてもよい。また、測色計によるＬ＊ａ＊ｂ＊表色系の測定値が前記式１〜３で表わされる関係を満足するように、着色剤によって黄色（オレンジ色も含む）の色調に着色されていてもよい。
【００９１】
なお、角部１５から第１の部位１６の先端までの長さ、角部１５から第２の部位１７の先端までの長さ、幅等は、所望により適宜変更することができる。また、角部１５、第１の部位１６の先端、第２の部位１７の先端にＲがついていてもよい。さらにまた、角部１５から第１の部位１６の先端にかけて若干湾曲していたり、角部１５から第２の部位１７の先端にかけて若干湾曲する等があっても、平面視でほぼＬ字状を呈していればこれらの形状も含むものとする。
【００９２】
［実施形態２］
次に、本発明の実施形態２に係る美容用貼付材及びその貼付方法について図面を参照して説明する。
【００９３】
図４は、本発明の実施形態２に係る美容用貼付材の平面図、図５（１）は、図４に示す美容用貼付材を貼付する工程（目を閉じた状態）を示す模式図であり、図５（２）は、図４に示す美容用貼付材を貼付する工程（目を開いた状態）を示す模式図である。なお、前記各図では、説明を判り易くするため、各部材の厚さやサイズ、拡大・縮小率等は、実際のものとは一致させずに記載した。
【００９４】
図４及び図５に示すように、実施形態２に係る美容用貼付材２は、平面視の形状が略三角形を有しており、略三角形の底辺が、被適用者１００の上瞼の縁１０２に貼付される第１の部位２６となっており、略三角形の底辺に対向する角部が、被適用者１００の上瞼の二重を構成する溝１０３を形成すべき位置に貼付される第２の部位２７となっている。
【００９５】
この美容用貼付材２は、実施形態１に係る美容用貼付材１と同様に、基材層１１と、基材層１１の片面側に配設された粘着剤層１２と、基材層１１の粘着剤層１２が配設されている面とは反対側の面に配設されたキャリア層１３と、粘着剤層１２の基材層１１が配設されている面とは反対側の面に配設されたセパレータ層１４と、を備えて構成されている。
【００９６】
次に、実施形態２に係る美容用貼付材２の貼付方法について図５を参照して説明する。先ず、美容用貼付材２からセパレータ層１４を剥がした後、図５（１）に示すように、美容用貼付材２の第１の部位２６を、被適用者１００の上瞼の縁１０２（目の際）に位置させ、第２の部位２７を被適用者１００の上瞼の二重を構成する溝１０３に位置させて美容用貼付材２を貼付する。
【００９７】
このように美容用貼付材２を被適用者１００に貼付することで、図５（２）に示すように、目を開いた際に、目の二重をくっきりさせることができる。また、眼瞼下垂症を解消することができる。この結果、ＱＯＬを向上させることができる。
【００９８】
なお、略三角形の各辺の長さや各角部の角度等は、所望により適宜変更することができる。また、各々の角部には、Ｒがついていてもよい。さらにまた、各辺は、若干湾曲していてもよく、平面視でほぼ三角形を呈していればこれらの形状も含むものとする。
【００９９】
［実施形態３］
次に、本発明の実施形態３に係る美容用貼付材及びその貼付方法について図面を参照して説明する。
【０１００】
図６は、本発明の実施形態３に係る美容用貼付材の平面図、図７は、図６に示す美容用貼付材を首の後ろに貼付した状態を示す模式図である。なお、前記各図では、説明を判り易くするため、各部材の厚さやサイズ、拡大・縮小率等は、実際のものとは一致させずに記載した。
【０１０１】
図６及び図７に示すように、実施形態３に係る美容用貼付材３は、平面視の形状が略長方形を有しており、略長方形の長手方向の一端部が、被適用者１００の首１０４の後ろ且つ頸椎１０５よりも右側に貼付される第１の部位３６となっており、略長方形の長手方向の他端部が、首１０４の後ろ且つ頸椎１０５よりも左側に貼付される第２の部位３７となっている。
【０１０２】
この美容用貼付材３は、実施形態１に係る美容用貼付材１と同様に、基材層１１と、基材層１１の片面側に配設された粘着剤層１２と、基材層１１の粘着剤層１２が配設されている面とは反対側の面に配設されたキャリア層１３と、粘着剤層１２の基材層１１が配設されている面とは反対側の面に配設されたセパレータ層１４と、を備えて構成されている。
【０１０３】
次に、実施形態３に係る美容用貼付材３の貼付方法について図７を参照して説明する。先ず、美容用貼付材３からセパレータ層１４を剥がした後、図７に示すように、首１０４の皺を後ろに引き上げながら、美容用貼付材３の第１の部位３６を、首１０４の後ろの頸椎１０５よりも右側に位置させて押さえ、第２の部位３７を頸椎１０５よりも左側に位置させて、美容用貼付材３を貼付する。
【０１０４】
このように美容用貼付材３を被適用者１００に貼付することで、首１０４の皺を目立たなくすることができると共に、首１０４のたるみを解消することができる。また、首１０４の肌質を向上させ、ＱＯＬを向上させることもできる。
【０１０５】
なお、略長方形の各辺の長さ等は、所望により適宜変更することができる。また、各々の角部には、Ｒがついていてもよい。さらにまた、略長方形には、平行四辺形や正方形も含むものとする。また、各辺は、若干湾曲していてもよく、平面視でほぼ長方形を呈していればこれらの形状も含むものとする。
【０１０６】
また、実施形態３に係る平面視の形状が略長方形の美容用貼付材３は、サイズを適宜変更することにより、例えば、図８に示すように、略長方形の長手方向の一端部が、被適用者１００のフェースライン１０６の首１０４の付け根近傍に貼付される第１の部位３８となっており、略長方形の長手方向の他端部が、首１０４の付け根よりも下方に貼付される第２の部位３９となっていてもよい。
【０１０７】
図８に示す美容用貼付材３の場合、美容用貼付材３からセパレータ層１４を剥がした後、被適用者１００のフェースライン１０６の首１０４の付け根近傍に第１の部位３８を位置させて押さえ、肌の凹凸を均一に整えながら肌を下に向かって引っ張りながら第２の部位３９を首１０４に押しつけることで、美容用貼付材３を貼付する。このように美容用貼付材３を被適用者１００に貼付することで、フェースライン１０６のたるみを解消することができると共に、肌の凹凸を均一に整えることができる。この結果、ＱＯＬを向上させることができる。
【０１０８】
そしてまた、実施形態３に係る平面視の形状が略長方形の美容用貼付材３は、サイズを適宜変更することにより、例えば、図９（１）及び図９（２）に示すように、略長方形の長手方向の一端部が、被適用者１００の手首１０７の甲側に貼付される第１の部位３２となっており、略長方形の長手方向の他端部が、手首１０７の掌側に貼付される第２の部位３３となっていてもよい。
【０１０９】
図９（１）及び図９（２）に示す美容用貼付材３の場合、美容用貼付材３からセパレータ層１４を剥がした後、手首１０７の皺を伸ばすように肌を引っ張りながら、手首１０７の甲側に第１の部位３２を位置させて押さえ（図９（１））、第２の部位３３を手首１０７の掌側に押しつける（図９（２））ことで、美容用貼付材３を貼付する。なお、図９（１）及び図９（２）に示すように、美容用貼付材３は手首１０７の両側に貼付する。このように美容用貼付材３を被適用者１００に貼付することで、手首１０７周辺の皺を目立たなくすることができる。この結果、ＱＯＬを向上させることができる。
【０１１０】
さらにまた、実施形態３に係る平面視の形状が略長方形の美容用貼付材３は、サイズを適宜変更することにより、例えば、図１０に示すように、略長方形の長手方向の一端部が、被適用者１００の鼻孔１０８に貼付される第１の部位３４となっており、略長方形の長手方向の他端部が、鼻孔１０８から延出して鼻の下１０９に貼付される第２の部位３５となっていてもよい。
【０１１１】
図１０に示す美容用貼付材３の場合、美容用貼付材３からセパレータ層１４を剥がした後、第１の部位３４を鼻孔１０８に挿入して押さえ、第２の部位３５を鼻の下１０９に位置させて押さえることで、美容用貼付材３を貼付する。この場合、第１の部位３４が、美容用貼付材３の長手方向の２／３程度を構成し、第２の部位３５が美容用貼付材３の長手方向の１／３程度を構成することが好ましい。このように美容用貼付材３を被適用者１００に貼付することで、例えば、花粉等のアレルギーを引き起こす物質が鼻孔１０８の表面に付着することを防止することができる。
【０１１２】
また、実施形態３に係る平面視の形状が略長方形の美容用貼付材３は、サイズを適宜変更することにより、例えば、図１１に示すように、略長方形の長手方向の一端部が、被適用者１００の脇の乳房近傍１１０に貼付される第１の部位１３２となっており、略長方形の長手方向の他端部が、鎖骨近傍１１１に貼付される第２の部位１３３となっていてもよい。
【０１１３】
図１１に示す美容用貼付材３の場合、美容用貼付材３からセパレータ層１４を剥がした後、被適用者１００の脇の乳房近傍１１０に第１の部位１３２を位置させて押さえ、バストを引き上げながら第２の部位１３３を鎖骨近傍１１１に位置させて押さえることで、美容用貼付材３を貼付する。このように美容用貼付材３を被適用者１００に貼付することで、バストアップを行うことができる。この結果、ＱＯＬを向上させることができる。
【０１１４】
そしてまた、実施形態３に係る平面視の形状が略長方形の美容用貼付材３は、サイズを適宜変更することにより、例えば、図１２に示すように、略長方形の長手方向の一端部が、被適用者１００の後部大腿の付け根近傍１１２に貼付される第１の部位１３４となっており、略長方形の長手方向の他端部が、腰部１１３に貼付される第２の部位１３５となっていてもよい。
【０１１５】
図１２に示す美容用貼付材３の場合、美容用貼付材３からセパレータ層１４を剥がした後、被適用者１００の後部大腿の付け根近傍１１２に第１の部位１３４を位置させて押さえ、ヒップを引き上げながら、第２の部位１３５を腰部１１３に位置させて押さえることで、美容用貼付材３を貼付する。このように美容用貼付材３を被適用者１００に貼付することで、ヒップアップを行うことができる。この結果、ＱＯＬを向上させることができる。
【０１１６】
［実施形態４］
次に、本発明の実施形態４に係る美容用貼付材及びその貼付方法について図面を参照して説明する。
【０１１７】
図１３は、本発明の実施形態４に係る美容用貼付材の平面図、図１４は、図１３に示す美容用貼付材を目尻から額にかけて貼付した状態を示す模式図である。なお、前記各図では、説明を判り易くするため、各部材の厚さやサイズ、拡大・縮小率等は、実際のものとは一致させずに記載した。
【０１１８】
図１３及び図１４に示すように、実施形態４に係る美容用貼付材４は、平面視の形状が略弓形を有しており、略弓形の長手方向の一端部が、被適用者１００のフェースライン１０６の目尻横１１４に貼付される第１の部位４６となっており、略弓形の長手方向の他端部が、目尻横１１４よりも上方に貼付される第２の部位４７となっている。
【０１１９】
この美容用貼付材４は、実施形態１に係る美容用貼付材１と同様に、基材層１１と、基材層１１の片面側に配設された粘着剤層１２と、基材層１１の粘着剤層１２が配設されている面とは反対側の面に配設されたキャリア層１３と、粘着剤層１２の基材層１１が配設されている面とは反対側の面に配設されたセパレータ層１４と、を備えて構成されている。
【０１２０】
次に、実施形態４に係る美容用貼付材４の貼付方法について図１４を参照して説明する。先ず、美容用貼付材４からセパレータ層１４を剥がした後、図１４に示すように、被適用者１００のフェースライン１０６の目尻横１１４に第１の部位４６を位置させて押さえ、目の下の皺やたるみを伸ばすように頭部に向けて肌を引き上げながら、第２の部位４７を目尻横１１４よりも上方に位置させて押さえ、美容用貼付材４を貼付する。
【０１２１】
このように美容用貼付材４を被適用者１００に貼付することで、目の下のたるみや、目の下のくまを解消することができ、目の周りの皺や眉間の皺を目立たなくすることができる。この結果、ＱＯＬを向上させることもできる。
【０１２２】
なお、略弓形の長さや幅等は、所望により適宜変更することができる。また、各々の角部には、Ｒがついていてもよく、平面視でほぼ弓形を呈していればよいものとする。
【０１２３】
また、実施形態４に係る平面視の形状が略弓形の美容用貼付材４は、サイズを適宜変更することにより、例えば、図１５に示すように、略弓形の長手方向の一端部が、被適用者１００のフェースライン１０６の耳朶近傍１１５に貼付される第１の部位４８となっており、略弓形の長手方向の他端部が、耳の上部裏側１１６に貼付される第２の部位４９となっていてもよい。
【０１２４】
図１５に示す美容用貼付材４の場合、美容用貼付材４からセパレータ層１４を剥がした後、被適用者１００のフェースライン１０６の耳朶近傍１１５に第１の部位４８を位置させて押さえ、目の周りの皺を伸ばしながら肌を引き上げながら、美容用貼付材４を耳の上に引っ掛けて、耳の上部裏側１１６に第２の部位４９を位置させて押さえ、美容用貼付材４を貼付する。このように美容用貼付材４を被適用者１００に貼付することで、目の周りの皺や毛穴を目立たなくすることができる。また、肌のくすみを解消し、肌質を改善することができる。この結果、ＱＯＬを向上させることができる。
【０１２５】
また、実施形態４に係る平面視の形状が略弓形の美容用貼付材４は、サイズを適宜変更することにより、例えば、図１６に示すように、被適用者１００の目の上縁１１７及び下縁１１８に貼付することもできる。目の上縁１１７に貼付される美容用貼付材４は、略弓形の長手方向の一端部が、被適用者１００の目頭１１９に位置される第１の部位４２となっており、略弓形の長手方向の他端部が、目尻１２０に位置される第２の部位４３となっている。また、目の下縁１１８に貼付される美容用貼付材４は、略弓形の長手方向の一端部が、被適用者１００の目頭１１９に位置される第１の部位４４となっており、略弓形の長手方向の他端部が、目尻１２０に位置される第２の部位４５となっている。
【０１２６】
図１６に示す美容用貼付材４の場合、例えば、上まつげ用の付けまつげ１３１を目の上縁１１７に、下まつげ用のまつげ１３２を目の下端１１８に固定するために使用することができる。具体的には、先ず、上縁１１７に付けまつげ１３１を位置させ、美容用貼付材４からセパレータ層１４を剥がし、美容用貼付材４が付けまつげ１３１の糊代部分に重なるようにして、第１の部位４２を目頭１１９に位置させて押さえ、美容用貼付材４を目の上縁１１７に沿って位置させて第２の部位４３を目尻１２０に位置させて押さえ、美容用貼付材４を貼付する。また、付けまつげ１３２の場合も同様に、美容用貼付材４が付けまつげ１３２の糊代部分に重なるようにして、第１の部位４４を目頭１１９に位置させて押さえ、美容用貼付材４を目の下縁１１８に沿って位置させて第２の部位４５を目尻１２０に位置させて押さえ、美容用貼付材４を貼付する。
【０１２７】
このようにすることで、専用の糊（接着剤）を使用することなく、付けまつげ１３１及び１３２を簡単且つ確実に固定することができる。このため、例えば、専用の糊が付けまつげ１３１及び１３２の糊代からはみ出したり、付けまつげ１３１及び１３２を取り外した際に、専用の糊が肌に残ったりする等の不具合が生じることがない。
【０１２８】
［実施形態５］
次に、本発明の実施形態５に係る美容用貼付材及びその貼付方法について図面を参照して説明する。
【０１２９】
図１７は、本発明の実施形態５に係る美容用貼付材の平面図、図１８は、図１７に示す美容用貼付材を爪に貼付した状態を示す模式図である。なお、前記各図では、説明を判り易くするため、各部材の厚さやサイズ、拡大・縮小率等は、実際のものとは一致させずに記載した。
【０１３０】
図１８及び図１９に示すように、実施形態５に係る美容用貼付材５は、平面視の形状が被適用者１００の爪１２１の形状とほぼ同じ形状である略爪形を有しており、略爪形の下端が、爪上皮１２２に位置される第１の部位５６となっており、略爪形の上端が、爪先１２３に位置される第２の部位５７となっている。
【０１３１】
この美容用貼付材５は、実施形態１に係る美容用貼付材１と同様に、基材層１１と、基材層１１の片面側に配設された粘着剤層１２と、基材層１１の粘着剤層１２が配設されている面とは反対側の面に配設されたキャリア層１３と、粘着剤層１２の基材層１１が配設されている面とは反対側の面に配設されたセパレータ層１４と、を備えて構成されている。
【０１３２】
次に、実施形態５に係る美容用貼付材５の貼付方法について図１８を参照して説明する。
先ず、美容用貼付材５からセパレータ層１４を剥がした後、図１８に示すように、被適用者１００の爪１２１の爪上皮１２２に第１の部位５６を位置させて押さえ、美容用貼付材５の両側端５８Ａ及び５８Ｂを爪１２１の爪溝１２４Ａ及び１２４Ｂに沿わせ、爪先１２３に第２の部位５７を位置させて押さえ、美容用貼付材５を爪１２１に貼付する。
【０１３３】
このように美容用貼付材５を被適用者１００の爪１２１に貼付することで、美容用貼付材５の上からネイルカラーをムラなく施すことができると共に、ネイルカラーを除去したい際には、美容用貼付材５を剥がすことができるため、除光液を使用せずにネイルカラーを除去することができ、爪の健康を損なうこともない。また、ネイルアートも簡単に施すことができ且つ簡単に取り除くこともできる。
【０１３４】
なお、略爪形の長さや幅等は、被適用者１００の爪１２１の形状に合わせて適宜変更することができるものとする。即ち、被適用者１００の爪１２１の形状に合わせて美容用貼付材をカットしてもよい。
【０１３５】
また、本発明に係る美容用貼付材は、前述した形状の他、平面視の形状が略滴形であってもよい。この美容用貼付材は、例えば、眼鏡の鼻当て（パッド）が当たる部位や、眼鏡のテンプルやモダンが当たる部位等に貼付することで、眼鏡による肌のトラブルを解消することもできる。
【０１３６】
さらにまた、本発明に係る美容用貼付材は、サイズや形状を適宜選択することにより、例えば、肌のアクセサリーや時計等の金属製品が接触する部位に貼付することで、美容用貼付材３が肌を守るため、被適用者１００が金属アレルギーであっても金属製品を着用することができる。また、靴擦れや傷等を保護する絆創膏等の上から貼付することで、絆創膏等のずれを防止することもできる。そしてまた、足の所望位置に予め貼付しておくことで、靴擦れが生じることを防止することもできる。そしてまた、美容用貼付材に所望の絵柄を描く、あるいは印刷することで、フェイスペインティング、ボディーペインティング、タトゥー等の代わりにすることもできる。
【０１３７】
なお、本発明に係る美容用貼付材は、皺やたるみのある肌の部位を引っ張って皺若しくはたるみを伸ばした状態で貼付すると該部位に密着し、引っ張りを解くと、美容用貼付材が皮溝や皺等の内部に入り込む状態になると推定される。その結果、美容用貼付材は、当該肌の表面で折り畳まれたような状態となって存在し、全体の外観が平坦状に見える。このような機構によって、美容用貼付材を皺またはたるみのある部位に貼付するだけで、皺またはたるみが少なくなるような外観が形成されると推定される。貼付後、基材層１１の上から水を施すと、基材層１１が吸水によって膨らむため、皺またはたるみを伸ばす効果がより大きくなる。ポリウレタンエラストマーからなる基材層１１は、吸水性があるため、貼付後、水を施さなくても、経時によって体内から蒸散した水分を吸水して膨らむため、皺またはたるみを伸ばす効果が増大することが期待される。このポリウレタンエラストマーからなる基材層１１の膨潤度は、厚さ７５μｍ、大きさ１００ｍｍ×１００ｍｍのポリウレタンエラストマーを水に２４時間浸漬して、浸漬前後の長さを測定して、（増分の長さ）／（１００ｍｍ）で、算出する。膨潤度は、１〜２０％、好ましくは２〜１０％である。
【符号の説明】
【０１３８】
１、２、３、４、５…美容用貼付材、  １１…基材層  １２…粘着剤層、  １３…キャリア層、  １４…セパレータ層、  １５…角部、  １６、２６、３２、３４、３６、３８、４２、４４、４６、４８、５６、１３２、１３４…第１の部位、  １７、２７、３３、３５、３７、３９、４３、４５、４７、４９、５７、１３３、１３５…第２の部位、  １００…被適用者
【図１】
2011172831.tif 000003
【図２】
2011172831.tif 000004
【図３】
2011172831.tif 000005
【図４】
2011172831.tif 000006
【図５】
2011172831.tif 000007
【図６】
2011172831.tif 000008
【図７】
2011172831.tif 000009
【図８】
2011172831.tif 000010
【図９】
2011172831.tif 000011
【図１０】
2011172831.tif 000012
【図１１】
2011172831.tif 000013
【図１２】
2011172831.tif 000014
【図１３】
2011172831.tif 000015
【図１４】
2011172831.tif 000016
【図１５】
2011172831.tif 000017
【図１６】
2011172831.tif 000018
【図１７】
2011172831.tif 000019
【図１８】
2011172831.tif 000020